(57)【要約】【課題】本発明は、従来にない非常に実用的な草刈り具を提供することを目的とする。【解決手段】柄部１に刃板６を有する刃部２を備えた草刈り具であって、前記柄部１内には液体収納部３が設けられ、また、前記刃部２には前記液体収納部３と連通状態となる液体通路部４が設けられ、前記刃板６の近傍には、前記液体収納部３に収納された液体Ｌを前記液体通路部４を介して排出する液体排出部７が設けられたものである。【選択図】図１
2019033723.tif 000002
【特許請求の範囲】
【請求項１】
柄部に刃板を有する刃部を備えた草刈り具であって、前記柄部内には液体収納部が設けられ、また、前記刃部には前記液体収納部と連通状態となる液体通路部が設けられ、前記刃板の近傍には、前記液体収納部に収納された液体を前記液体通路部を介して排出する液体排出部が設けられていることを特徴とする草刈り具。
【請求項２】
請求項１記載の草刈り具において、前記液体通路部は、前記刃板の長さ方向に長さを有する管体であり、この液体通路部と連通する小孔が前記液体排出部であることを特徴とする草刈り具。
【請求項３】
請求項２記載の草刈り具において、前記小孔は複数設けられていることを特徴とする草刈り具。
【請求項４】
請求項１〜３いずれか１項に記載の草刈り具において、前記柄部には前記液体収納部に空気を供給する空気供給部が設けられていることを特徴とする草刈り具。
【請求項５】
請求項４記載の草刈り具において、前記空気供給部には、該液空気供給部の開口面積を可変して前記液体収納部への空気の供給量を調整する空気供給量調整部が設けられていることを特徴とする草刈り具。
【請求項６】
請求項１〜５いずれか１項に記載の草刈り具において、前記刃板は着脱自在に設けられていることを特徴とする草刈り具。
【請求項７】
請求項１〜６いずれか１項に記載の草刈り具において、前記柄部及び前記刃部は合成樹脂製であることを特徴とする草刈り具。
【発明の詳細な説明】
【技術分野】
【０００１】
本発明は、草刈り具に関するものである。
【背景技術】
【０００２】
例えば庭に生えた雑草を除去する場合、手で草を一本一本引き抜いていたのでは大変であるため、例えば実用新案登録第３１８９２７７号に開示されるような握柄の先端に刃板を設けた草刈り具（以下、従来例）が提案されている。
【０００３】
しかしながら、従来例を使用して草の茎を切断しても、根が残ったままであると直ぐに草が生えてきてしまう。
【０００４】
そこで、従来は、従来例での草刈り作業が終了した後、除草液を撒かなければならず、それだけ手間がかかってしまうという問題点がある。
【先行技術文献】
【特許文献】
【０００５】
【特許文献１】実用新案登録第３１８９２７７号公報
【発明の概要】
【発明が解決しようとする課題】
【０００６】
本発明は、前述した問題点を解消するもので、従来にない非常に実用的な草刈り具を提供する。
【課題を解決するための手段】
【０００７】
添付図面を参照して本発明の要旨を説明する。
【０００８】
柄部１に刃板６を有する刃部２を備えた草刈り具であって、前記柄部１内には液体収納部３が設けられ、また、前記刃部２には前記液体収納部３と連通状態となる液体通路部４が設けられ、前記刃板６の近傍には、前記液体収納部３に収納された液体Ｌを前記液体通路部４を介して排出する液体排出部７が設けられていることを特徴とする草刈り具に係るものである。
【０００９】
また、請求項１記載の草刈り具において、前記液体通路部４は、前記刃板６の長さ方向に長さを有する管体であり、この液体通路部４と連通する小孔が前記液体排出部７であることを特徴とする草刈り具に係るものである。
【００１０】
また、請求項２記載の草刈り具において、前記小孔は複数設けられていることを特徴とする草刈り具に係るものである。
【００１１】
また、請求項１〜３いずれか１項に記載の草刈り具において、前記柄部１には前記液体収納部３に空気を供給する空気供給部８が設けられていることを特徴とする草刈り具に係るものである。
【００１２】
また、請求項４記載の草刈り具において、前記空気供給部８には、該液空気供給部８の開口面積を可変して前記液体収納部３への空気の供給量を調整する空気供給量調整部９が設けられていることを特徴とする草刈り具に係るものである。
【００１３】
また、請求項１〜５いずれか１項に記載の草刈り具において、前記刃板６は着脱自在に設けられていることを特徴とする草刈り具に係るものである。
【００１４】
また、請求項１〜６いずれか１項に記載の草刈り具において、前記柄部１及び前記刃部２は合成樹脂製であることを特徴とする草刈り具に係るものである。
【発明の効果】
【００１５】
本発明は上述のように構成したから、草刈り作業と同時にこの切断した草やその周辺に例えば除草液の撒き作業が行えるなど、従来にない非常に実用的な草刈り具となる。
【図面の簡単な説明】
【００１６】
【図１】本実施例を示す斜視図である。
【図２】本実施例の分解斜視図である。
【図３】本実施例の要部を説明する断面図である。
【図４】本実施例の要部の説明図である。
【図５】本実施例の要部の説明図である。
【図６】本実施例の要部の説明図である。
【図７】本実施例の要部を説明する断面図である。
【図８】本実施例の要部を説明する断面図である。
【図９】本実施例の使用状態説明図である。
【図１０】本実施例の要部の説明断面図である。
【発明を実施するための形態】
【００１７】
好適と考える本発明の実施形態を、図面に基づいて本発明の作用を示して簡単に説明する。
【００１８】
柄部１を持って刃板６で草を刈り取る。この際、柄部１に設けられた液体収納部３に収納された液体Ｌが、刃部２に設けられた液体通路部４を介して液体排出部７から排出され、切断した草やその周辺に液体Ｌが撒かれる。
【００１９】
従って、例えば液体Ｌが除草液であれば、草刈り作業と除草液の撒き作業が同時に行われることになり、よって、従来行っていた草刈り作業が終了した後、別途行う除草液の撒き作業を省くことができ、作業負担が低減される。
【実施例】
【００２０】
本発明の具体的な実施例について図面に基づいて説明する。
【００２１】
本実施例は、柄部１に刃板６を有する刃部２を備えた草刈り具（草刈り鎌）である。
【００２２】
具体的には、柄部１は、図１〜３に図示したように適宜な合成樹脂製の部材で形成された中空棒状体であり、この柄部１の内空間は液体Ｌを収納する液体収納部３として構成されている。尚、本実施例では液体Ｌとして除草液を採用したが、本実施例の作用効果を奏するものであれば適宜採用し得るものである。
【００２３】
また、柄部１の先端部は開口しており、この先端開口部は液体収納部３へ液体Ｌを注入する液体注入部10として構成されている。
【００２４】
この液体注入部10は、図２，３に図示したように所定の開口径を有する筒状であり、周面に螺子溝部10ａが設けられ、後述する刃部２を着脱自在に螺着し得るように構成されている。
【００２５】
また、柄部１の基端部には液体収納部３へ空気を供給する空気供給部８が設けられている。
【００２６】
この空気供給部８は、図１〜３に図示したように柄部１の基端面部に複数の通気孔８ａを円弧状に並設して構成されており、更に、液体収納部３への空気の供給量を調整する空気供給量調整部９が設けられている。
【００２７】
この空気供給量調整部９は、図１〜３に図示したように柄部１の基端面部に重合する円形板状の重合部材９’を回動自在に設け、この重合部材９’には円弧状の長窓孔９ａが設けられている。
【００２８】
この長窓孔９ａは、一端部から他端部に向けて徐々に幅狭となる形状に設けられ、柄部１の基端面部に対して重合部材９’を回転させた際、この長窓孔９ａが通気孔８ａに合致した際に合致する連通孔の開口面積が回転位置に応じて可変するように構成されている（図４，５参照）。
【００２９】
従って、重合部材９’を回動させて通気孔８ａと長窓孔９ａで形成される連通孔の開口面積の増減によって空気供給量を調整することができ、連通孔の開口面積が広いほど後述する液体排出部７からの液体Ｌの排出量（勢い）は増すことになる。
【００３０】
刃部２は、柄部１の液体収納部３と連通状態となる液体通路部４を有するとともに、刃板６を有するものである。
【００３１】
具体的には、刃部２は、図１〜３に図示したように適宜な合成樹脂製の部材で形成された中空状体であり、基端部には前述した柄部１の液体注入部10に着脱自在に被嵌螺着する螺着部11が設けられている。
【００３２】
また、刃部２には、液体収納部３と連通状態となる液体通路部４が設けられており、この液体通路部４は、後述する刃板６の長さ方向に長さを有する管体を設けて構成されている。
【００３３】
また、刃部２には、液体収納部３に収納された液体Ｌを液体通路部４を介して排出する液体排出部７が設けられている。
【００３４】
この液体排出部７は、図１〜３に図示したように液体通路部４に貫通状態で複数並設される小孔で構成されている。
【００３５】
従って、刃部２を下げる（逆さ状態とする）と液体収納部３に収納された液体Ｌは液体通路部４を通過して各液体排出部７から排出される（図６参照）。この各液体排出部７からの液体Ｌの排出量（排出される勢い）は、前述した空気供給量調整部９による液体収納部３内への空気の供給量に応じて可変する。
【００３６】
また、刃部には、刃板６が着脱自在に設けられている。
【００３７】
具体的には、刃部２の縁部にスリット状の凹溝部２ａが設けられ、この凹溝部２ａに刃板６をスライド挿入させて装着するように構成されている。
【００３８】
また、凹溝部２ａの内側には複数の鉤状の凸部２ｂが設けられ、この各凸部２ｂは、スライド挿入させた刃板６に設けられた係止孔６ａに係脱自在に係止して該刃板６の抜け止めを阻止するように構成されている（図７，８参照）。
【００３９】
本実施例は上述のように構成したから、柄部１を持って刃板６で草を刈り取る。この際、柄部１に設けられた液体収納部３に収納された液体Ｌが、刃部２に設けられた液体通路部４を介して液体排出部７から排出され、切断した草やその周辺に液体Ｌが撒かれる。
【００４０】
よって、本実施例は、例えば液体Ｌが除草液であれば、草刈り作業と除草液の撒き作業が同時に行われることになり、よって、従来行っていた草刈り作業が終了した後、別途行う除草液の撒き作業を省くことができ、作業負担が低減される。
【００４１】
また、本実施例は、液体排出部７は、刃板６の近傍位置に設けられているから、確実に切断した草やその周辺に液体Ｌを撒くことができる。
【００４２】
また、本実施例は、液体通路部４は、刃板６の長さ方向に長さを有する管体であり、この液体通路部４と連通する小孔が液体排出部７であるから、広範囲に液体Ｌを撒くことができる。
【００４３】
また、本実施例は、柄部１の基端部には液体収納部３に空気を供給する空気供給部８が設けられているから、液体排出部７から液体Ｌを良好に排出することができる。
【００４４】
また、本実施例は、空気供給部８には、該液空気供給部８の開口面積を可変して液体収納部３への空気の供給量を調整する空気供給量調整部９が設けられているから、液体Ｌの排出量を調整することができる。
【００４５】
また、本実施例は、刃板６は刃部２に着脱自在に設けられているから、刃板６の切れ味が悪くなったり破損粗した場合に交換することができる。
【００４６】
また、本実施例は、柄部１及び刃部２は合成樹脂製であるから、軽量のため作業性が良く、しかも、コスト安にして量産性に秀れることになる。
【００４７】
尚、本発明は、実施例に限られるものではなく、各構成要件の具体的構成は適宜設計し得るものである。
【符号の説明】
【００４８】
Ｌ  液体
１  柄部
２  刃部
３  液体収納部
４  液体通路部
６  刃板
７  液体排出部
８  空気供給部
９  空気供給量調整部
【図１】
2019033723.tif 000003
【図２】
2019033723.tif 000004
【図３】
2019033723.tif 000005
【図４】
2019033723.tif 000006
【図５】
2019033723.tif 000007
【図６】
2019033723.tif 000008
【図７】
2019033723.tif 000009
【図８】
2019033723.tif 000010
【図９】
2019033723.tif 000011
【図１０】
2019033723.tif 000012